(57)【要約】【課題】管理対象の物品が正規の保管場所に保管されていることを管理することができる管理システムを提供する。【解決手段】管理システム５００は、対象物品に関する物品情報を対象物品から読み取るための読取部１５０と、読取部１５０によって読み取られた物品情報に基づいて、対象物品が保管されているべき正規の保管場所を特定するための特定部２５０と、物品情報の読み取りが行われた読取場所を取得するための取得部１５２と、正規の保管場所と、読取場所とを比較し、対象物品が正規の保管場所に保管されているか否かを判断するための判断部２５２と、判断部２５２による判断結果を通信端末に通知するための通知部２５４とを備える。【選択図】図２
2018039606.tif 000002
【特許請求の範囲】
【請求項１】
対象物品に関する物品情報を前記対象物品から読み取るための読取部と、
前記読取部によって読み取られた物品情報に基づいて、前記対象物品が保管されているべき正規の保管場所を特定するための特定部と、
前記物品情報の読み取りが行われた読取場所を取得するための取得部と、
前記正規の保管場所と、前記読取場所とを比較し、前記対象物品が前記正規の保管場所に保管されているか否かを判断するための判断部と、
前記判断部による判断結果を通信端末に通知するための通知部とを備える、管理システム。
【請求項２】
前記管理システムは、物品の保管場所を物品の識別情報ごとに規定しているデーターベースを格納するための記憶部をさらに備え、
前記物品情報は、前記対象物品の識別情報を含み、
前記特定部は、前記データーベースに規定されている保管場所の内、前記対象物品の識別情報に対応する保管場所を前記正規の保管場所として特定する、請求項１に記載の管理システム。
【請求項３】
前記物品情報は、前記正規の保管場所を示す位置情報を含む、請求項１に記載の管理システム。
【請求項４】
前記通知部は、前記判断結果を複数の異なる前記通信端末に送信する、請求項１〜３のいずれか１項に記載の管理システム。
【請求項５】
前記判断部は、
前記正規の保管場所と前記読取場所との間の距離を算出し、
当該距離が所定閾値以内である場合に、前記対象物品が前記正規の保管場所に保管されていると判断し、
当該距離が前記所定閾値を超えている場合に、前記対象物品が前記正規の保管場所に保管されていないと判断する、請求項１〜４のいずれか１項に記載の管理システム。
【請求項６】
前記通知部は、前記判断部によって前記対象物品が前記正規の保管場所に保管されていないと判断された場合に、前記判断結果として、前記対象物品の保管場所が異常であることを前記通信端末に通知する、請求項５に記載の管理システム。
【請求項７】
前記通知部は、前記算出された距離をさらに通知する、請求項５または６に記載の管理システム。
【請求項８】
前記通知部は、前記正規の保管場所と前記読取場所とを表わした地図画像を前記通信端末にさらに通知する、請求項１〜７のいずれか１項に記載の管理システム。
【請求項９】
前記通知部は、前記正規の保管場所を示す地域情報と、前記読取場所を示す地域情報とを前記通信端末にさらに通知する、請求項１〜８のいずれか１項に記載の管理システム。
【請求項１０】
対象物品に関する物品情報を前記対象物品から読み取るための読取部と、
前記読取部によって読み取られた物品情報に基づいて、前記対象物品が保管されているべき正規の保管場所を特定するための特定部と、
前記物品情報の読み取りが行われた読取場所を取得するための取得部と、
前記正規の保管場所と、前記読取場所とを比較し、前記対象物品が前記正規の保管場所に保管されているか否かを判断するための判断部と、
前記判断部による判断結果を通信端末に通知するための通知部とを備える、管理装置。
【請求項１１】
対象物品に関する物品情報を前記対象物品から読み取るステップと、
前記読み取られた物品情報に基づいて、前記対象物品が保管されているべき正規の保管場所を特定するステップと、
前記物品情報の読み取りが行われた読取場所を取得するステップと、
前記正規の保管場所と、前記読取場所とを比較し、前記対象物品が前記正規の保管場所に保管されているか否かを判断するステップと、
前記判断するステップにおける判断結果を通信端末に通知するステップとを備える、管理方法。
【請求項１２】
コンピュータに実行させる物品の管理プログラムであって、
前記管理プログラムは、前記コンピュータに、
対象物品に関する物品情報を前記対象物品から読み取るステップと、
前記読み取られた物品情報に基づいて、前記対象物品が保管されているべき正規の保管場所を特定するステップと、
前記物品情報の読み取りが行われた読取場所を取得するステップと、
前記正規の保管場所と、前記読取場所とを比較し、前記対象物品が前記正規の保管場所に保管されているか否かを判断するステップと、
前記判断するステップにおける判断結果を通信端末に通知するステップとを実行させる、管理プログラム。
【発明の詳細な説明】
【技術分野】
【０００１】
本開示は、物品を管理するための技術に関し、特に、物品の保管場所を管理するための技術に関する。
【背景技術】
【０００２】
物品を管理するために、ＱＲコード（登録商標）が利用されている。ＱＲコードには、たとえば、物品の生産場所や生産日時などが関連付けられている。管理者は、製品に貼り付けられているＱＲコードをバーコードリーダーなどの読取端末で読み取ることで物品の情報を確認することができる。
【０００３】
物品を管理するための技術に関し、特開２００８-９６５６号公報（特許文献１）は、ＱＲコードで中古品を管理することができる中古品管理装置を開示している。当該中古品管理装置は、中古品を撮影して得られた画像を、中古品の受取時刻や受取場所などに関連付けた上でサーバーに記録するとともに、これらの情報をＱＲコードとして発行する。管理者は、中古品に貼り付けられたＱＲコードを読取端末で読み取ることで、受け取り時における中古品の状態、中古品の受取時刻、および中古品の受取場所などを確認することができる。
【先行技術文献】
【特許文献】
【０００４】
【特許文献１】特開２００８-９６５６号公報
【発明の概要】
【発明が解決しようとする課題】
【０００５】
管理対象の物品の他の例として、樹脂部品を成型するための金型が挙げられる。製造業においては、金型は、管理会社から協力会社に貸与される。協力会社の担当者は、金型に貼り付けられたＱＲコードを読取端末で読み取り、その読取結果を管理会社に送ることにより、管理会社は、金型の状態を確認することができる。
【０００６】
近年、協力会社が、管理会社との契約に反して、より管理費の安い保管場所に金型を移動することが問題になっている。金型は、悪環境下で保管されると、寸法が変化したり、錆が発生したり、劣化したりする。そのため、金型は、適切な環境下で保管される必要がある。したがって、金型が正規の保管場所に保管されていることを管理することができる管理システムが望まれている。
【０００７】
管理対象の物品のさらに他の例として、製品が挙げられる。製品が正規の保管場所とは異なる場所で保管されると、製品の納入先までの距離が長くなり、時間やコストが余分に発生してしまう。したがって、製品が正規の保管場所に保管されていることを管理するための技術が望まれている。
【０００８】
本開示は上述のような問題点を解決するためになされたものであって、ある局面における目的は、管理対象の物品が正規の保管場所に保管されていることを管理することができる管理システムを提供することである。他の局面における目的は、管理対象の物品が正規の保管場所に保管されていることを管理することができる管理装置を提供することである。さらに他の局面における目的は、管理対象の物品が正規の保管場所に保管されていることを管理することができる管理方法を提供することである。さらに他の局面における目的は、管理対象の物品が正規の保管場所に保管されていることを管理することができる管理プログラムを提供することである。
【課題を解決するための手段】
【０００９】
ある局面に従うと、管理システムは、対象物品に関する物品情報を上記対象物品から読み取るための読取部と、上記読取部によって読み取られた物品情報に基づいて、上記対象物品が保管されているべき正規の保管場所を特定するための特定部と、上記物品情報の読み取りが行われた読取場所を取得するための取得部と、上記正規の保管場所と、上記読取場所とを比較し、上記対象物品が上記正規の保管場所に保管されているか否かを判断するための判断部と、上記判断部による判断結果を通信端末に通知するための通知部とを備える。
【００１０】
好ましくは、上記管理システムは、物品の保管場所を物品の識別情報ごとに規定しているデーターベースを格納するための記憶部をさらに備える。上記物品情報は、上記対象物品の識別情報を含む。上記特定部は、上記データーベースに規定されている保管場所の内、上記対象物品の識別情報に対応する保管場所を上記正規の保管場所として特定する。
【００１１】
好ましくは、上記物品情報は、上記正規の保管場所を示す位置情報を含む。
好ましくは、上記通知部は、上記判断結果を複数の異なる上記通信端末に送信する。
【００１２】
好ましくは、上記判断部は、上記正規の保管場所と上記読取場所との間の距離を算出し、当該距離が所定閾値以内である場合に、上記対象物品が上記正規の保管場所に保管されていると判断し、当該距離が上記所定閾値を超えている場合に、上記対象物品が上記正規の保管場所に保管されていないと判断する。
【００１３】
好ましくは、上記通知部は、上記判断部によって上記対象物品が上記正規の保管場所に保管されていないと判断された場合に、上記判断結果として、上記対象物品の保管場所が異常であることを上記通信端末に通知する。
【００１４】
好ましくは、上記通知部は、上記算出された距離をさらに通知する。
好ましくは、上記通知部は、上記正規の保管場所と上記読取場所とを表わした地図画像を上記通信端末にさらに通知する。
【００１５】
好ましくは、上記通知部は、上記正規の保管場所を示す地域情報と、上記読取場所を示す地域情報とを上記通信端末にさらに通知する。
【００１６】
他の局面に従うと、読取端末は、対象物品に関する物品情報を上記対象物品から読み取るための読取部と、上記読取部によって読み取られた物品情報に基づいて、上記対象物品が保管されているべき正規の保管場所を特定するための特定部と、上記物品情報の読み取りが行われた読取場所を取得するための取得部と、上記正規の保管場所と、上記読取場所とを比較し、上記対象物品が上記正規の保管場所に保管されているか否かを判断するための判断部と、上記判断部による判断結果を通信端末に通知するための通知部とを備える。
【００１７】
他の局面に従うと、管理方法は、対象物品に関する物品情報を上記対象物品から読み取るステップと、上記読み取られた物品情報に基づいて、上記対象物品が保管されているべき正規の保管場所を特定するステップと、上記物品情報の読み取りが行われた読取場所を取得するステップと、上記正規の保管場所と、上記読取場所とを比較し、上記対象物品が上記正規の保管場所に保管されているか否かを判断するステップと、上記判断するステップにおける判断結果を通信端末に通知するステップとを備える。
【００１８】
他の局面に従うと、コンピュータに実行させる物品の管理プログラムは、コンピュータに、対象物品に関する物品情報を上記対象物品から読み取るステップと、上記読み取られた物品情報に基づいて、上記対象物品が保管されているべき正規の保管場所を特定するステップと、上記物品情報の読み取りが行われた読取場所を取得するステップと、上記正規の保管場所と、上記読取場所とを比較し、上記対象物品が上記正規の保管場所に保管されているか否かを判断するステップと、上記判断するステップにおける判断結果を通信端末に通知するステップとを実行させる。
【発明の効果】
【００１９】
ある局面において、管理対象の物品が正規の保管場所に保管されていることを管理することができる。
【００２０】
本発明の上記および他の目的、特徴、局面および利点は、添付の図面と関連して理解される本発明に関する次の詳細な説明から明らかとなるであろう。
【図面の簡単な説明】
【００２１】
【図１】実施の形態に従う管理システムのシステム構成の一例を示す図である。
【図２】実施の形態に従う管理システムの機能構成の一例を示す図である。
【図３】物品の保管場所を物品の識別情報ごとに規定しているデーターベースを示す図である。
【図４】判断部による判断結果を表わす画面の一例を示す図である。
【図５】判断部による判断結果の詳細画面の一例を示す図である。
【図６】読取端末とサーバーと通信端末との間のデータの流れを示すシーケンス図である。
【図７】読取端末が実行する処理の一部を表わすフローチャートである。
【図８】サーバーが実行する処理の一部を表わすフローチャートである。
【図９】実施の形態に従う管理システムの主要なハードウェア構成を示すブロック図である。
【発明を実施するための形態】
【００２２】
以下、図面を参照しつつ、本発明に従う各実施の形態について説明する。以下の説明では、同一の部品および構成要素には同一の符号を付してある。それらの名称および機能も同じである。したがって、これらについての詳細な説明は繰り返さない。なお、以下で説明される各実施の形態および各変形例は、適宜選択的に組み合わされてもよい。
【００２３】
［管理システム５００］
図１を参照して、管理システム５００におけるシステム構成について説明する。図１は、管理システム５００のシステム構成の一例を示す図である。
【００２４】
管理システム５００は、物品５１などを管理する。管理対象の物品５１としては、たとえば、製品、部品、金型、その他の物が挙げられる。図１に示されるように、管理システム５００は、たとえば、入力端末５０と、読取端末１００と、サーバー２００と、通信端末３００とで構成されている。
【００２５】
入力端末５０は、管理対象の物品５１に関する物品情報の入力を受け付ける。一例として、管理者は、物品情報として、物品５１の識別番号、物品５１が保管されているべき正規の保管場所、物品５１の生産日時、物品５１の生産場所などを入力端末５０に入力することができる。物品情報の入力が完了すると、ステップＳ１に示されるように、入力端末５０は、入力された物品情報をサーバー２００に送信する。
【００２６】
サーバー２００は、入力された物品情報を入力端末から受信すると、当該物品情報を記憶するとともに、当該物品情報を符号化する。当該物品情報は、ＱＲコードなどの二次元バーコードとして符号化されてもよいし、一次元バーコードとして符号化されてもよい。図１の例では、サーバー２００は、入力された物品情報をＱＲコードとして符号化している。ステップＳ２に示されるように、発行されたＱＲコードは、入力端末５０送信される。
【００２７】
入力端末５０は、ＱＲコードをサーバー２００から受信すると、当該ＱＲコードをプリントアウトする。管理者は、プリントアウトされたＱＲコード５２を物品５１に貼り付ける。その後、物品５１は、現地（たとえば、貸与先や納品先）に送られる。
【００２８】
管理者は、送付された物品５１が正規の保管場所に保管されているか否かを棚卸時などに定期的に確認する。より具体的には、現地の作業者は、読取端末１００を用いてＱＲコード５２を読み取る。読取端末１００は、たとえば、バーコードリーダー、スマートフォン、タブレット端末、または、ＱＲコードの読取機能を備えるその他の携帯端末である。読取端末１００は、読み取ったＱＲコード５２を復号化することにより、物品５１に関する物品情報を読み取る。
【００２９】
読取端末１００は、ＱＲコード５２の読み取りと同時に、ＱＲコード５２の読み取りが行われた読取場所を取得する。一例として、読取端末１００は、後述のＧＰＳモジュール１０６（図９参照）などの位置検知装置を搭載しており、当該位置検知装置から、ＱＲコード５２の読み取り時における現在位置を読取場所として取得する。ステップＳ４に示されるように、読取端末１００は、位置検知装置から取得した読取場所と、ＱＲコード５２から得られた物品情報とをサーバー２００に送信する。
【００３０】
サーバー２００は、読取端末１００から受信した物品情報に基づいて、物品５１の正規の保管場所を特定する。その後、サーバー２００は、物品５１の正規の保管場所と、読取端末１００から受信した読取場所とを比較し、物品５１が正規の保管場所に保管されているか否かを判断する。ステップＳ５に示されるように、その判断結果は、現地担当者の通信端末３００や、遠隔地にいる管理者の通信端末３００に送信される。これにより、現地担当者や管理者は、物品５１が正規の保管場所に保管されているか否かを確認することができる。
【００３１】
なお、上述では、物品５１に関する物品情報がＱＲコード５２から読み取られる例について説明を行ったが、物品５１に関する物品情報は、ＲＦＩＤ（Radio  Frequency  Identifier）などのタグから読み取られてもよい。当該タグは、物品５１に関する物品情報を保持し、読取端末１００は、電磁界や電波などを用いた近距離無線通信によってタグから物品情報を読み取る。
【００３２】
また、図１では、管理システム５００が読取端末１００と、入力端末５０と、サーバー２００と、通信端末３００とで構成されている例について説明を行ったが、管理システム５００は、少なくとも、読取端末１００およびサーバー２００の少なくとも一方を含めばよい。また、読取端末１００の機能の一部または全部は、サーバー２００や通信端末３００に実装されてもよい。あるいは、サーバー２００の機能の一部または全部は、読取端末１００や通信端末３００に実装されてもよい。すなわち、読取端末１００およびサーバー２００のいずれか一方が管理装置として構成されてもよいし、読取端末１００およびサーバー２００が一体的に構成されて管理装置として構成されてもよい。
【００３３】
また、図１には、管理システム５００が１つの読取端末１００で構成されている例が示されているが、管理システム５００は、複数の読取端末１００で構成されてもよい。図１には、管理システム５００が１つのサーバー２００で構成されている例が示されているが、管理システム５００は、複数のサーバー２００で構成されてもよい。図１には、管理システム５００が複数の通信端末３００で構成されている例が示されているが、管理システム５００は、１つの通信端末３００で構成されてもよい。
【００３４】
［管理システム５００の機能構成］
図２を参照して、管理システム５００の機能について説明する。図２は、管理システム５００の機能構成の一例を示す図である。図２に示されるように、管理システム５００は、読取端末１００と、サーバー２００とを含む。
【００３５】
読取端末１００は、機能構成として、読取部１５０と、取得部１５２とを含む。サーバー２００は、機能構成として、特定部２５０と、判断部２５２と、通知部２５４とを含む。以下、読取端末１００およびサーバー２００の機能構成について順に説明する。
【００３６】
なお、読取部１５０および取得部１５２の少なくとも一部は、サーバー２００に搭載されてもよい。また、特定部２５０、判断部２５２、および通知部２５４の少なくとも一部は、読取端末１００に搭載されてもよい。
【００３７】
（読取部１５０）
読取部１５０は、管理対象の物品（以下、「対象物品」ともいう。）を撮影して得られた画像からＱＲコードを検知し、符号化されているＱＲコードを復号化することで物品情報を読み取る。以下では、読取部１５０によるＱＲコードの読取方法について説明する。
【００３８】
ＱＲコードは、矩形形状を有する。ＱＲコードの３隅には、ファインダパターンと呼ばれる位置検知用のパターンが配置されている。また、ＱＲコードには、正方形のセルが格子状に配列されている。各セルは、黒または白で表わされる。
【００３９】
読取部１５０は、ＱＲコードのファインダパターンを検知し、３つのファインダパターンの位置関係に基づいて、画像内からＱＲコードを検知する。読取部１５０は、検知されたＱＲコード内における黒色のセルと白色のセルとの配列パターンを数値化することでＱＲコードから物品情報を読み取る。物品情報は、たとえば、物品の識別番号、物品の正規の保管場所、物品の生産日時、物品の生産場所などを含む。読み取られた物品情報は、サーバー２００に送信される。
【００４０】
なお、上述では、読取部１５０がＱＲコードから物品情報を読み取る例について説明を行ったが、読取部１５０は、その他の二次元バーコードから物品情報を読み取ってもよい。あるいは、読取部１５０は、一二次元バーコードから物品情報を読み取ってもよい。あるいは、読取部１５０は、ＲＦＩＤなどのタグから物品情報を読み取ってもよい。
【００４１】
（取得部１５２）
取得部１５２は、読取部１５０によって物品情報が読み取られたことに基づいて、読取端末１００の現在位置を取得する。以下では、取得部１５２による現在位置の取得方法について説明する。
【００４２】
取得部１５２による現在位置の取得方法には、様々な方法が採用され得る。ある局面において、取得部１５２は、後述のＧＰＳモジュール１０６（図９参照）が受信した衛星測位信号に基づいて、読取端末１００の現在位置を取得する。当該読取場所は、たとえば、緯度および経度で表わされる。
【００４３】
他の局面において、取得部１５２は、基地局のアンテナやＷｉＦｉ（Wireless  Fidelity）のアクセスポイントなどの通信機器から受信した信号に基づいて、読取端末１００の現在位置を取得する。より具体的には、当該通信機器から送信される信号には、当該通信機器の識別子（たとえば、ＳＳＩＤ：Service  Set  Identifier）が含まれている。読取端末１００は、各通信機器の設置場所を規定した通信機器情報を予め保持している。読取端末１００は、通信機器情報に規定されている設置場所の中から、通信機器から受信した識別子に対応する設置場所を特定する。一方で、読取端末１００は、通信機器の受信した信号の強度に基づいて、当該設置場所からの距離を算出する。取得部１５２は、通信機器の設置場所と、当該設置場所からの距離とに基づいて、読取端末１００の現在位置を取得する。
【００４４】
ＱＲコードの読取時に取得された現在位置は、物品情報の読取場所として見なされる。得された読取場所をサーバー２００に送信される。
【００４５】
（特定部２５０）
特定部２５０は、読取部１５０によって読み取られた物品情報に基づいて、対象物品の正規の保管場所を特定する。以下では、図３を参照して、物品の保管場所を特定する方法について説明する。図３は、物品の保管場所を物品の識別情報ごとに規定しているデーターベース２２４を示す図である。
【００４６】
物品の識別情報は、たとえば、物品ＩＤ（Identification）で表わされる。データーベース２２４において、物品ＩＤごとに、物品名と、正規の保管場所と、ロット番号とが関連付けられている。一例として、データーベース２２４に規定される保管場所は、緯度および経度で表わされる。当該保管場所は、一地点として表されてもよいし、範囲で表されてもよい。
【００４７】
特定部２５０は、データーベース２２４に規定されている物品ＩＤの中から、読取部１５０によって読み取られた物品情報に含まれる物品ＩＤと一致する物品ＩＤを特定する。特定部２５０は、データーベース２２４において、当該特定された物品ＩＤに対応付けられている保管場所を対象物品の正規の保管場所として特定する。当該特定された正規の保管場所は、判断部２５２に出力される。
【００４８】
なお、正規の保管場所の特定方法は、上述の例に限定されない。たとえば、ＱＲコード自体に物品の正規の保管場所を示す位置情報が規定されていてもよい。すなわち、正規の保管場所は、ＱＲコードから読み取られた物品情報に含まれている。この場合、特定部２５０は、読取端末１００から受信した物品情報に含まれる保管場所を対象物品の正規の保管場所として特定する。
【００４９】
（判断部２５２）
判断部２５２は、特定部２５０によって特定された正規の保管場所と、取得部１５２によって取得されたＱＲコードの読取場所とを比較し、対象物品が正規の保管場所に保管されているか否かを判断する。以下では、その判断方法について説明する。
【００５０】
判断部２５２は、特定部２５０によって特定された正規の保管場所と、取得部１５２によって取得されたＱＲコードの読取場所との間の距離を算出する。判断部２５２は、正規の保管場所と読取場所との間の距離が所定閾値（たとえば、１００）以内である場合に、対象物品が正規の保管場所に保管されていると判断する。一方で、判断部２５２は、正規の保管場所と読取場所との間の距離が所定閾値（たとえば、１００ｍ）を超えている場合に、対象物品が正規の保管場所に保管されていないと判断する。
【００５１】
このように、判断部２５２は、読取場所が正規の保管場所から一定距離以上離れているか否かに応じて、対象物品が正規の保管場所に保管されているか否かを判断する。判断部２５２による判断結果は、通知部２５４に出力される。
【００５２】
（通知部２５４）
通知部２５４は、判断部２５２による判断結果を複数の通信端末３００（図１参照）に通知する。好ましくは、通知部２５４は、判断部２５２による判断結果に応じて、当該判断結果の通知先を変える。判断結果とその通知先との関係は、予め規定されていてもよいし、任意に設定されてもよい。
【００５３】
一例として、通知部２５４は、対象物品が正規の保管場所に保管されている場合には、判断部２５２による判断結果を、現地担当者（図１参照）の通信端末３００に送信し、管理者（図１参照）の通信端末３００には送信しない。一方で、通知部２５４は、対象物品が正規の保管場所に保管されていない場合には、判断部２５２による判断結果を、現地担当者の通信端末３００と管理者の通信端末３００との両方に送信する。このとき、通知部２５４は、対象物品の保管場所が異常であることを通信端末３００に通知する。
【００５４】
なお、通知部２５４による通信端末３００への通知内容は、判断部２５２による判断結果に限定されない。一例として、通知部２５４は、正規の保管場所とＱＲコードの読取場所との間の距離を通信端末３００に通知する。これにより、管理者や現地担当者は、対象物品が正規の保管場所からどれくらい離れた位置に保管されているかを容易に把握することができる。
【００５５】
他にも、通知部２５４は、正規の保管場所と読取場所とを表わした地図画像を通信端末３００に通知してもよい。地図画像は、たとえば、Ｇｏｏｇｌｅマップ（登録商標）などの地図サイトから取得されてもよいし、通信端末３００に予め格納されていてもよい。地図画像内の各場所は、緯度および経度などの位置情報に対応付けられている。読取端末１００は、正規の保管場所に対応する地図画像上の位置に当該正規の保管場所を示すアイコンを配置し、読取場所に対応する地図画像上の位置に当該読取場所を示すアイコンを配置する。その後、通知部２５４は、当該地図画像を通信端末３００に送信する。これにより、管理者や現地担当者は、ＱＲコードの読取場所と、対象物品の正規の保管場所とを視覚的に確認することができる。
【００５６】
他にも、通知部２５４は、正規の保管場所を示す地域情報と、ＱＲコードの読取場所を示す地域情報とを通信端末３００に通知してもよい。地域情報として、たとえば、住所や施設名などが通知される。これにより、管理者や現地担当者は、ＱＲコードの読取場所における地域情報と、対象物品の正規の保管場所における地域情報とを容易に把握することができる。
【００５７】
［通信端末３００の通知画面］
図４および図５を参照して、通信端末３００の通知画面について説明する。図４は、判断部２５２による判断結果を表わす画面の一例を示す図である。
【００５８】
通信端末３００は、判断部２５２による判断結果をサーバー２００から受信すると、各物品に対する判断結果をリスト２０としてディスプレイ３０５に表示する。リスト２０は、管理対象の物品名を示す物品欄２１と、判断部２５２による判断日時を示す日時欄２２と、判断部２５２による判断結果を示す結果欄２３と、保管場所および読取場所の間の距離を示す距離欄２４と、ボタン欄２５とを含む。リスト２０が表示されることで、管理者または現地担当者は、各物品の判断結果を容易に把握することができる。
【００５９】
結果欄２３に示される判断結果は、たとえば、対象製品が正規の保管場所に保管されている場合には「ＯＫ」で示され、対象製品が正規の保管場所に保管されていない場合には「ＮＧ」で示される。好ましくは、通信端末３００は、判断結果「ＮＧ」の項目を判断結果「ＯＫ」の項目とは異なる態様で表示する。
【００６０】
管理者または現地担当者は、リスト２０のボタン欄２５のいずれかを押下することで、対応する物品の判断結果を詳細に確認することができる。図５は、判断部２５２による判断結果の詳細画面の一例を示す図である。
【００６１】
たとえば、管理者は、判断結果が「ＮＧ」の物品「Ｃ」の判断結果を確認する場合には、確認ボタン２６を押下する。その結果、図５（Ａ）に示されるように、物品「Ｃ」の判断結果の詳細画面がディスプレイ３０５に表示される。当該詳細画面は、地図画像３０と、ＱＲコードの読取場所における地域情報３６Ａと、物品「Ｃ」の正規の保管場所における地域情報３６Ｂとを含む。
【００６２】
地図画像３０には、ＱＲコードの読取場所がアイコン３１で表わされており、物品「Ｃ」の正規の保管場所がアイコン３２で表わされている。また、地図画像３０には、ＱＲコードの読取場所と、物品「Ｃ」の正規の保管場所との間の距離を示す距離画像３３が表示されている。さらに、地図画像３０には、物品「Ｃ」が正規の保管場所から移動されていることを示す警告３５が表示されている。
【００６３】
地域情報３６Ａは、ＱＲコードの読取場所における住所３７Ａと、当該読取場所における施設名３８Ａとを含む。地域情報３６Ｂは、物品「Ｃ」の正規の保管場所における住所３７Ｂと、当該保管場所における施設名３８Ｂとを含む。
【００６４】
他の例として、管理者は、判断結果が「ＯＫ」の物品「Ｄ」の判断結果を確認する場合には、確認ボタン２７を押下する。その結果、図５（Ｂ）に示されるように、物品「Ｄ」の判断結果の詳細画面がディスプレイ３０５に表示される。当該詳細画面は、地図画像４０と、ＱＲコードの読取場所における地域情報４６Ａと、物品「Ｄ」の正規の保管場所における地域情報４６Ｂとを含む。
【００６５】
地図画像４０には、ＱＲコードの読取場所がアイコン４１で表わされており、物品「Ｄ」の正規の保管場所がアイコン４２で表わされている。また、地図画像４０には、ＱＲコードの読取場所と、物品「Ｄ」の正規の保管場所との間の距離を示す距離画像４３が表示されている。さらに、地図画像４０には、物品「Ｄ」が正規の保管場所に保管されていることを示すメッセージ４５が表示されている。
【００６６】
地域情報４６Ａは、ＱＲコードの読取場所における住所４７Ａと、当該読取場所における施設名４８Ａとを含む。地域情報４６Ｂは、物品「Ｄ」の正規の保管場所における住所４７Ｂと、当該保管場所における施設名４８Ｂとを含む。
【００６７】
［データフロー］
図６を参照して、管理システム５００におけるデータの流れについて説明する。図６は、読取端末１００とサーバー２００と通信端末３００との間のデータの流れを示すシーケンス図である。
【００６８】
ステップＳ１０において、読取端末１００は、対象物品を撮影して得られた画像からＱＲコードを検知し、ＱＲコードを復号化することで対象物品に関する物品情報を読み取る。
【００６９】
ステップＳ１２において、読取端末１００は、ＱＲコードの読み取りが実行されたことに基づいて、読取端末１００の現在位置を取得する。当該現在位置は、ＱＲコードの読取場所として見なされる。
【００７０】
ステップＳ１４において、読取端末１００は、ステップＳ１０で読み取られた物品情報と、ステップＳ１２で取得された読取場所とをサーバー２００に送信する。
【００７１】
ステップＳ２０において、サーバー２００は、読取端末１００から受信した物品情報に基づいて、対象物品が保管されているべき正規の保管場所を特定する。正規の保管場所の特定方法は図３で説明した通りであるので、その説明については繰り返さない。
【００７２】
ステップＳ２２において、サーバー２００は、ステップＳ２０で特定された正規の保管場所と、読取端末１００から受信した読取場所とを比較し、対象物品が正規の保管場所に保管されているか否かを判断する。より具体的には、サーバー２００は、正規の保管場所と読取場所との間の距離を算出する。サーバー２００は、算出された距離が所定閾値（たとえば、１００）以内である場合に、対象物品が正規の保管場所に保管されていると判断する。一方で、サーバー２００は、算出された距離が所定閾値（たとえば、１００ｍ）よりも長い場合に、対象物品が正規の保管場所に保管されていないと判断する。
【００７３】
ステップＳ３０において、サーバー２００は、ステップＳ２２における判断結果を通信端末３００に送信する。
【００７４】
ステップＳ３４において、通信端末３００は、サーバー２００から受信した判断結果を報知する。当該判断結果は、任意の方法で報知される。一例として、当該判断結果を表わすメッセージなどが通信端末３００に表示される。あるいは、当該判断結果は、音声として通信端末３００から発せられる。これにより、現地担当者（図１参照）や管理者（図１参照）は、対象物品が正規の保管場所に保管されているか否かを確認することができる。
【００７５】
［読取端末１００の制御構造］
図７を参照して、読取端末１００の制御構造について説明する。図７は、読取端末１００が実行する処理の一部を表わすフローチャートである。図７の処理は、読取端末１００の制御装置１０１（図９参照）がプログラムを実行することにより実現される。他の局面において、図７に示される処理の一部または全部が、回路素子またはその他のハードウェアによって実行されてもよい。
【００７６】
ステップＳ１１０において、制御装置１０１は、ＱＲコードの読取アプリケーションが起動されたか否かを判断する。制御装置１０１は、ＱＲコードの読取アプリケーションが起動されたと判断した場合（ステップＳ１１０においてＹＥＳ）、制御をステップＳ１１２に切り替える。そうでない場合には（ステップＳ１１０においてＮＯ）、制御装置１０１は、ステップＳ１１０の処理を再び実行する。
【００７７】
ステップＳ１１２において、制御装置１０１は、後述のカメラ１０５（図９参照）から画像を取得する。
【００７８】
ステップＳ１２０において、制御装置１０１は、上述の読取部１５０（図２参照）として、ステップＳ１１２で取得した画像からＱＲコードを検知したか否かを判断する。制御装置１０１は、ステップＳ１１２で取得した画像からＱＲコードを検知したと判断した場合（ステップＳ１２０においてＹＥＳ）、制御をステップＳ１２２に切り替える。そうでない場合には（ステップＳ１２０においてＮＯ）、制御装置１０１は、制御をステップＳ１１２に戻す。
【００７９】
ステップＳ１２２おいて、制御装置１０１は、上述の読取部１５０として、ステップＳ１２０で検知されたＱＲコードを復号化することにより対象物品に関する物品情報を読み取る。
【００８０】
ステップＳ１３０において、制御装置１０１は、物品情報が読み取られたか否かを判断する。制御装置１０１は、物品情報が読み取られたと判断した場合（ステップＳ１３０においてＹＥＳ）、制御をステップＳ１３４に切り替える。そうでない場合には（ステップＳ１３０においてＮＯ）、制御装置１０１は、制御をステップＳ１３２に切り替える。
【００８１】
ステップＳ１３２において、制御装置１０１は、ＱＲコードの読み取りに失敗したことを示すエラー画面を読取端末１００に表示させる。
【００８２】
ステップＳ１３４において、制御装置１０１は、上述の取得部１５２（図２参照）として、読取端末１００の現在位置を取得する。現在位置の取得方法は上述の通りであるので、その説明については繰り返さない。取得された現在位置は、ＱＲコードの読取場所として見なされる。
【００８３】
ステップＳ１３６において、制御装置１０１は、ステップＳ１２２で読み取られた物品情報と、ステップＳ１３４で取得された読取場所とをサーバー２００に送信する。
【００８４】
［サーバー２００の制御構造］
図８を参照して、サーバー２００の制御構造について説明する。図８は、サーバー２００が実行する処理の一部を表わすフローチャートである。図８は、サーバー２００が実行する処理の一部を表わすフローチャートである。図８の処理は、サーバー２００の制御装置２０１（図９参照）がプログラムを実行することにより実現される。他の局面において、図８に示される処理の一部または全部が、読取端末１００、通信端末３００、回路素子、またはその他のハードウェアによって実行されてもよい。
【００８５】
ステップＳ２１０において、制御装置２０１は、ＱＲコードから読み取られた物品情報と、ＱＲコードの読取場所とを読取端末１００から受信したか否かを判断する。制御装置２０１は、物品情報と読取場所とを読取端末１００から受信したと判断した場合（ステップＳ２１０においてＹＥＳ）、制御をステップＳ２１２に切り替える。そうでない場合には（ステップＳ２１０においてＮＯ）、制御装置２０１は、ステップＳ２１０の処理を再び実行する。
【００８６】
ステップＳ２１２において、制御装置２０１は、上述の特定部２５０（図２参照）として、対象物品の正規の保管場所を特定する。正規の保管場所の特定方法は、図３で説明した通りであるので、その説明については繰り返さない。
【００８７】
ステップＳ２１４において、制御装置２０１は、後述のステップＳ２２０における判断結果の通知先を決定する。一例として、制御装置２０１は、物品の種類に応じて判断結果の通知先を決定する。物品の種類と判断結果の通知先との関係は、予め規定されていてもよいし、任意に設定されてもよい。
【００８８】
ステップＳ２１６において、制御装置２０１は、ＱＲコードの読取場所の地域情報と、正規の保管場所の地域情報とを特定する。地域情報は、たとえば、住所や施設名である。位置情報と地域情報との関係は、地図情報として予め規定されている。制御装置２０１は、当該地図情報に基づいて、ＱＲコードの読取場所の地域情報と、正規の保管場所の地域情報とを特定する。
【００８９】
ステップＳ２１８において、制御装置２０１は、ＱＲコードの読取場所と、正規の保管場所との間の距離を算出する。
【００９０】
ステップＳ２２０において、制御装置２０１は、上述の判断部２５２（図２参照）として、ステップＳ２１８で算出された距離が所定閾値を超えているか否かを判断する。制御装置２０１は、ステップＳ２１８で算出された距離が所定閾値を超えていると判断した場合（ステップＳ２２０においてＹＥＳ）、制御をステップＳ２３０に切り替える。そうでない場合には（ステップＳ２２０においてＮＯ）、制御装置２０１は、制御をステップＳ２４０に切り替える。
【００９１】
ステップＳ２３０において、制御装置２０１は、ステップＳ２２０における判断結果をサーバー２００内のデーターベースに書き込む。すなわち、制御装置２０１は、対象物品が正規の保管場所に保管されていないことをサーバー２００内のデーターベースに書き込む。このとき、対象物品の物品情報、ステップＳ２１６で特定された地域情報、ステップＳ２１８で算出された距離などがデーターベースに書き込まれてもよい。
【００９２】
ステップＳ２３２において、制御装置２０１は、上述の通知部２５４（図２参照）として、対象物品が正規の保管場所に保管されていないことを通信端末３００に通知する。また、制御装置２０１は、対象物品の物品情報、ステップＳ２１６で特定された地域情報、ステップＳ２１８で算出された距離などをさらに通信端末３００に通知する。
【００９３】
ステップＳ２４０において、制御装置２０１は、ステップＳ２２０における判断結果をサーバー２００内のデーターベースに書き込む。すなわち、制御装置２０１は、対象物品が正規の保管場所に保管されていることをサーバー２００内のデーターベースに書き込む。このとき、対象物品の物品情報、ステップＳ２１６で特定された地域情報、ステップＳ２１８で算出された距離などがデーターベースに書き込まれてもよい。
【００９４】
ステップＳ２４２において、制御装置２０１は、上述の通知部２５４として、対象物品が正規の保管場所に保管されていることを通信端末３００に通知する。また、制御装置２０１は、対象物品の物品情報、ステップＳ２１６で特定された地域情報、ステップＳ２１８で算出された距離などをさらに通信端末３００に通知する。
【００９５】
［管理システム５００のハードウェア構成］
図９を参照して、管理システム５００のハードウェア構成の一例について説明する。図９は、管理システム５００の主要なハードウェア構成を示すブロック図である。
【００９６】
図９に示されるように、管理システム５００は、読取端末１００と、サーバー２００と、通信端末３００とで構成されている。読取端末１００、サーバー２００、および通信端末３００は、互いにネットワーク接続されている。
【００９７】
以下では、読取端末１００、サーバー２００、および通信端末３００のハードウェア構成について順に説明する。
【００９８】
（読取端末１００のハードウェア構成）
図９に示されるように、読取端末１００は、制御装置１０１と、ＲＯＭ（Read  Only  Memory）１０２と、ＲＡＭ（Random  Access  Memory）１０３と、通信インターフェイス１０４と、カメラ１０５と、ＧＰＳモジュール１０６と、記憶装置１２０とを備える。
【００９９】
制御装置１０１は、読取端末１００を制御する。制御装置１０１は、たとえば、少なくとも１つの集積回路によって構成される。集積回路は、たとえば、少なくとも１つのＣＰＵ（Central  Processing  Unit）、少なくとも１つのＡＳＩＣ（Application  Specific  Integrated  Circuit）、少なくとも１つのＦＰＧＡ（Field  Programmable  Gate  Array）、またはそれらの組み合わせなどによって構成される。
【０１００】
制御装置１０１は、本実施の形態に従う読取プログラム１２２などの各種プログラムを実行することで読取端末１００の動作を制御する。制御装置１０１は、読取プログラム１２２の実行命令を受け付けたことに基づいて、記憶装置１２０からＲＯＭ１０２に読取プログラム１２２を読み出す。ＲＡＭ１０３は、ワーキングメモリとして機能し、読取プログラム１２２の実行に必要な各種データを一時的に格納する。
【０１０１】
通信インターフェイス１０４には、アンテナ（図示しない）などが接続される。読取端末１００は、当該アンテナを介して、外部の通信機器との間でデータをやり取りする。外部の通信機器は、たとえば、サーバー２００、通信端末３００などを含む。読取端末１００は、他のサーバーなどから読取プログラム１２２をダウンロードできるように構成されてもよい。
【０１０２】
カメラ１０５は、ＱＲコードの読取アプリケーションが起動されたことに基づいて、撮影を開始する。カメラ１０５から得られた画像は、制御装置１０１に順次出力される。制御装置１０１は、カメラ１０５から順次得られた画像内においてＱＲコードを検知し、ＱＲコードを復号化することで物品情報を取得する。
【０１０３】
ＧＰＳモジュール１０６は、読取端末１００のアンテナ（図示しない）を介して複数の衛星のそれぞれから電波を受信する。ＧＰＳモジュール１０６は、各衛星から電波が発信されてから各電波を受信するまでの時間に基づいて、読取端末１００の現在位置を検知する。当該現在位置は、たとえば緯度および経度で表される。
【０１０４】
記憶装置１２０は、たとえば、ｅＭＭＣ（Embedded  MultiMediaCard）やフラッシュメモリなどの記憶媒体である。記憶装置１２０は、本実施の形態に従う読取プログラム１２２などを格納する。読取プログラム１２２の格納場所は、記憶装置１２０に限定されず、制御装置１０１の記憶領域（たとえば、キャッシュなど）、ＲＯＭ１０２、ＲＡＭ１０３、外部機器（たとえば、サーバー２００や通信端末３００）などに格納されていてもよい。
【０１０５】
なお、読取プログラム１２２は、単体のプログラムとしてではなく、任意のプログラムの一部に組み込まれて提供されてもよい。この場合、本実施の形態に従う処理は、任意のプログラムと協働して実現される。このような一部のモジュールを含まないプログラムであっても、本実施の形態に従う読取プログラム１２２の趣旨を逸脱するものではない。さらに、読取プログラム１２２によって提供される機能の一部または全部は、専用のハードウェアによって実現されてもよい。さらに、読取端末１００とサーバー２００と通信端末３００とが協働して、読取プログラム１２２を実行するように構成されてもよい。さらに、少なくとも１つのサーバーが読取プログラム１２２の処理の一部を実行する所謂クラウドサービスのような形態で読取端末１００が構成されてもよい。
【０１０６】
（サーバー２００のハードウェア構成）
引き続き図９を参照して、サーバー２００のハードウェア構成について説明する。
【０１０７】
サーバー２００は、制御装置２０１と、ＲＯＭ２０２と、ＲＡＭ２０３と、通信インターフェイス２０４と、表示インターフェイス２０５と、操作インターフェイス２０７と、記憶装置２２０とを含む。
【０１０８】
制御装置２０１は、サーバー２００を制御する。制御装置２０１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはそれらの組み合わせなどによって構成される。
【０１０９】
制御装置２０１は、本実施の形態に従う管理プログラム２２２などの各種プログラムを実行することでサーバー２００の動作を制御する。制御装置２０１は、管理プログラム２２２の実行命令を受け付けたことに基づいて、記憶装置２２０からＲＯＭ２０２に管理プログラム２２２を読み出す。ＲＡＭ２０３は、ワーキングメモリとして機能し、管理プログラム２２２の実行に必要な各種データを一時的に格納する。
【０１１０】
通信インターフェイス２０４には、サーバー２００のアンテナ（図示しない）などが接続される。サーバー２００は、当該アンテナを介して、外部の通信機器との間でデータをやり取りする。外部の通信機器は、たとえば、読取端末１００、通信端末３００、その他の通信端末などを含む。サーバー２００は、当該通信端末から管理プログラム２２２をダウンロードできるように構成されてもよい。
【０１１１】
表示インターフェイス２０５は、ディスプレイ２０６と接続され、制御装置２０１などからの指令に従って、ディスプレイ２０６に対して、画像を表示するための画像信号を送出する。ディスプレイ２０６は、たとえば、液晶ディスプレイ、有機ＥＬ（Electro  Luminescence）ディスプレイ、またはその他の表示機器である。ディスプレイ２０６は、対象物品が正規の保管場所に保管されていないと判断された場合に、そのことを示すメッセージや画像などを表示する。
【０１１２】
操作インターフェイス２０７は、たとえば、ＵＳＢ（Universal  Serial  Bus）端子であり、入力デバイス２０８に接続される。操作インターフェイス２０７は、入力デバイス２０８からのユーザ操作を示す信号を受け付ける。入力デバイス２０８は、たとえば、マウス、キーボード、タッチパネル、またはユーザの操作を受け付けることが可能なその他の装置である。
【０１１３】
記憶装置２２０は、たとえば、ハードディスクや外付けの記憶装置などの記憶媒体である。記憶装置２２０は、本実施の形態に従う管理プログラム２２２、上述のデーターベース２２４（図３参照）などを格納する。管理プログラム２２２およびデーターベース２２４の格納場所は、記憶装置２２０に限定されず、制御装置２０１の記憶領域（たとえば、キャッシュなど）、ＲＯＭ２０２、ＲＡＭ２０３、外部機器（たとえば、読取端末１００や通信端末３００）などに格納されていてもよい。
【０１１４】
なお、管理プログラム２２２は、単体のプログラムとしてではなく、任意のプログラムの一部に組み込まれて提供されてもよい。この場合、本実施の形態に従う処理は、任意のプログラムと協働して実現される。このような一部のモジュールを含まないプログラムであっても、本実施の形態に従う管理プログラム２２２の趣旨を逸脱するものではない。さらに、管理プログラム２２２によって提供される機能の一部または全部は、専用のハードウェアによって実現されてもよい。さらに、読取端末１００とサーバー２００と通信端末３００とが協働して、管理プログラム２２２を実行するように構成されてもよい。さらに、少なくとも１つのサーバーが管理プログラム２２２の処理の一部を実行する所謂クラウドサービスのような形態で読取端末１００が構成されてもよい。
【０１１５】
（通信端末３００のハードウェア構成）
引き続き図９を参照して、通信端末３００のハードウェア構成について説明する。
【０１１６】
通信端末３００は、制御装置３０１と、ＲＯＭ３０２と、ＲＡＭ３０３と、通信インターフェイス３０４と、ディスプレイ３０５と、記憶装置３２０とを含む。
【０１１７】
制御装置３０１は、通信端末３００を制御する。制御装置３０１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはそれらの組み合わせなどによって構成される。
【０１１８】
制御装置３０１は、制御プログラム３２２などの各種プログラムを実行することで通信端末３００を制御する。制御装置３０１は、制御プログラム３２２の実行命令を受け付けたことに基づいて、記憶装置３２０からＲＯＭ３０２に制御プログラム３２２を読み出す。ＲＡＭ３０３は、ワーキングメモリとして機能し、制御プログラム３２２の実行に必要な各種データを一時的に格納する。
【０１１９】
通信インターフェイス３０４には、アンテナ（図示しない）などが接続される。通信端末３００は、当該アンテナを介して、外部の通信機器との間でデータをやり取りする。外部の通信機器は、たとえば、読取端末１００、サーバー２００などを含む。通信端末３００は、アンテナを介してサーバーから制御プログラム３２２をダウンロードできるように構成されてもよい。
【０１２０】
ディスプレイ３０５は、たとえば、液晶ディスプレイ、有機ＥＬディスプレイ、またはその他の表示機器である。ディスプレイ３０５は、タッチパネルに重ねられており、通信端末３００に対する各種操作をタッチ操作で受け付ける。ディスプレイ３０５は、対象物品が正規の保管場所に保管されていないと判断された場合に、そのことを示す警告をメッセージや画像などで表示する。
【０１２１】
記憶装置３２０は、たとえば、ｅＭＭＣやフラッシュメモリなどの記憶媒体である。一例として、記憶装置３２０は、制御プログラム３２２を格納する。制御プログラム３２２の格納場所は、記憶装置３２０に限定されず、たとえば、制御装置３０１のキャッシュ、ＲＯＭ３０２、ＲＡＭ３０３、または他の通信機器（たとえば、読取端末１００やサーバー２００）などに格納されていてもよい。
【０１２２】
［まとめ］
以上のようにして、読取端末１００は、対象物品に貼り付けられているＱＲコードから物品情報を読み取り、当該対象物品の正規の保管場所を特定する。同時に、読取端末１００は、現在位置を取得する。当該現在位置は、ＱＲコードの読取場所として見なされる。読取端末１００は、対象物品の正規の保管場所と、ＱＲコードの読取場所とをサーバー２００に送信する。サーバー２００は、対象物品の正規の保管場所と、ＱＲコードの読取場所とを比較し、対象物品が正規の保管場所も保管されているか否かを判断する。一例として、サーバー２００は、正規の保管場所と読取場所との間の距離を算出し、当該距離が所定閾値を超えている場合に、対象物品が正規の保管場所に保管されていないと判断する。この場合、サーバー２００は、対象物品が正規の保管場所に保管されていないことを示す警告を管理者や現地担当者のサーバー２００に送信する。これにより、管理者や現地担当者は、対象物品が正規の保管場所に保管されているか否かを確認することができる。
【０１２３】
今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【０１２４】
２０  リスト、２１  物品欄、２２  日時欄、２３  結果欄、２４  距離欄、２５  ボタン欄、２６，２７  確認ボタン、３０，４０  地図画像、３１，３２，４１，４２  アイコン、３３，４３  距離画像、３５  警告、３６Ａ，３６Ｂ，４６Ａ，４６Ｂ  地域情報、３７Ａ，３７Ｂ，４７Ａ，４７Ｂ  住所、３８Ａ，３８Ｂ，４８Ａ，４８Ｂ  施設名、４５  メッセージ、５０  入力端末、５１  物品、５２  ＱＲコード、１００  読取端末、１０１，２０１，３０１  制御装置、１０２，２０２，３０２  ＲＯＭ、１０３，２０３，３０３  ＲＡＭ、１０４，２０４，３０４  通信インターフェイス、１０５  カメラ、１０６  ＧＰＳモジュール、１２０，２２０，３２０  記憶装置、１２２  読取プログラム、１５０  読取部、１５２  取得部、２００  サーバー、２０５  表示インターフェイス、２０６，３０５  ディスプレイ、２０７  操作インターフェイス、２０８  入力デバイス、２２２  管理プログラム、２２４  データーベース、２５０  特定部、２５２  判断部、２５４  通知部、３００  通信端末、３２２  制御プログラム、５００  管理システム。
【図１】
2018039606.tif 000003
【図２】
2018039606.tif 000004
【図３】
2018039606.tif 000005
【図４】
2018039606.tif 000006
【図５】
2018039606.tif 000007
【図６】
2018039606.tif 000008
【図７】
2018039606.tif 000009
【図８】
2018039606.tif 000010
【図９】
2018039606.tif 000011